(57)【要約】【課題】雨水が導入される汚水桝から汚水が逆流して住宅内の汚水源へと到達することを低コストで防止する。【解決手段】住宅１の汚水を貯留して排出するための汚水桝２に連通する雨水導入管４に、住宅１内の汚水源６よりも低い流路で前記住宅１の外部に開口する過剰水排出口１１を連通させる。前記過剰水排出口１１を常時は閉じ、且つ、前記汚水桝２内の汚水が前記汚水源６へ到達する前に前記雨水導入管４内の水圧によって前記過剰水排出口１１を自動的に開放する蓋１６を設けることもできる。さらに、前記雨水導入管４において、前記過剰水排出口１１よりも浄水槽２に近い位置に、前記汚水桝２への雨水の流入量を制限する流量絞り２４を設けることもできる。【選択図】    図１
2016079661.tif 000002
【特許請求の範囲】
【請求項１】
住宅の汚水を貯留して排出するための汚水桝に連通する雨水導入管に、住宅内の汚水源よりも低い流路で前記住宅の外部に開口する過剰水排出口が連通されている、汚水桝の逆流防止装置。
【請求項２】
前記過剰水排出口が地上において前記雨水導入管に連通される、請求項１に記載の汚水桝の逆流防止装置。
【請求項３】
前記過剰水排出口を常時は閉じ、且つ、前記汚水桝内の汚水が前記汚水源へ到達する前に前記雨水導入管内の水圧によって前記過剰水排出口を自動的に開放する蓋を備える、請求項１又は２に記載の汚水桝の逆流防止装置。
【請求項４】
前記雨水導入管において、前記過剰水排出口よりも汚水桝に近い位置に、前記汚水桝への雨水の流入量を制限する流量絞りが設けられる、請求項１，２又は３に記載の汚水桝の逆流防止装置。
【発明の詳細な説明】
【技術分野】
【０００１】
本発明は、汚水桝の逆流防止装置に関するものであり、詳しくは、住宅の汚水を貯留して排出する汚水桝において、住宅の雨樋から汚水桝に流入する雨水の量が汚水桝の排水量よりも多い場合に、住宅内のトイレや風呂等の汚水源へと汚水桝から汚水が逆流することを防止する装置に関するものである。
【背景技術】
【０００２】
住宅の屎尿や生活排水等の汚水を貯留して排出する汚水桝（特許文献１参照）には、図４に示すように、住宅３０の雨樋３１から雨水が導入される場合がある。すなわち、住宅の軒樋３２が縦樋３３を介して、地中に埋設される汚水桝３４に連通されるタイプであり、汚水枡３４が雨水枡（特許文献２参照）を兼ねるものである。この場合、住宅３０で発生した汚水と雨樋３１に流入した雨水は、共に汚水桝３４に流入し、この汚水枡３４から下水道へと排出される。
【０００３】
このタイプの汚水桝３４において、雨樋３１から汚水桝３４に流入する雨水の量が汚水桝３４から下水道への排水量を超えるほど降雨量が多い場合には、住宅の汚水源３５（トイレ、風呂、台所等）へと汚水桝３４から、雨水を含む汚水が逆流してしまい、住宅内が水浸しになってしまう危険がある。
【０００４】
図４には、大雨の影響で縦樋３３及び軒樋３２の中が満水状態となり、軒樋３２から雨水Ｒが溢れ出ている状態が示されている。雨樋３１から流れ込む雨水で汚水枡３４が満杯になってしまうと、汚水枡３４内の汚水が汚水源３５としてのトイレから住宅内へと流れ込む。雨樋３１を構成する軒樋３２は汚水桝３４よりもはるかに高い位置にあるので、軒樋３２に流れ込む雨水によって汚水桝３４内が加圧され、汚水源３５への汚水の逆流が促進される。地球温暖化の影響からか、局地的な豪雨に見舞われることが多い昨今、この問題は甚だ深刻である。
【先行技術文献】
【特許文献】
【０００５】
【特許文献１】特開平９−２７３１６６号公報
【特許文献２】特開平７−２９２７５８号公報
【発明の概要】
【発明が解決しようとする課題】
【０００６】
この問題への対策として、汚水桝を大型化したり、汚水桝を複数設けたりすることが考えられるが、既に埋設されている汚水桝の取替えには大きなコストがかかり、現実的でない。
【０００７】
本発明は、前記のような事情に鑑みてなされたものであり、雨水が導入される汚水桝から汚水が逆流して住宅内の汚水源へと到達することを低コストで防止しうる、汚水桝の逆流防止装置を提供しようとするものである。
【課題を解決するための手段】
【０００８】
前記課題を解決するため、本発明に係る汚水桝の逆流防止装置は、住宅の汚水を貯留して排出するための汚水桝に連通する雨水導入管に、住宅内の汚水源よりも低い流路で前記住宅の外部に開口する過剰水排出口が連通されることを特徴とする（請求項１）。
【０００９】
本発明によれば、雨水導入管に連通する過剰水排出口が、住宅内の汚水源よりも低い流路で住宅の外部に開口するので、汚水桝に流入する雨水の量が汚水桝からの排水量よりも多い場合には、汚水桝内が満杯となった後に、過剰な雨水が過剰水排出口から住宅の外部へと自然に排出される。このため、汚水桝内の汚水が逆流して住宅内の汚水源へと到達することが防止できる。
【００１０】
本発明によれば、雨水導入管に連通させて前記過剰水排出口を設けるだけでよいので、汚水の逆流を低コストで防止することができる。また、既存設備に対しても、大きな改変を加えることなく前記作用効果を付与できる。
【００１１】
なお、本発明において、汚水源とは、トイレ、台所の流し、風呂場、洗濯場等、屎尿又は生活雑排水の発生源をいう。
【００１２】
好適な実施の一形態として、前記過剰水排出口が地上において前記雨水導入管に連通される態様を例示する（請求項２）。このようにすれば、既存設備に対して過剰水排出口を連通させる工事が容易に行えて好適である。
【００１３】
好適な実施の一形態として、前記過剰水排出口を常時は閉じ、且つ、前記汚水桝内の汚水が前記汚水源へ到達する前に前記雨水導入管内の水圧によって前記過剰水排出口を自動的に開放する蓋を備える態様を例示する（請求項３）。このようにすれば、過剰水の排出が必要なとき以外は常時、過剰水排出口が閉じられるので、過剰水排出口から雨水導入管内に異物が入り込んでしまうことが防止できる。
【００１４】
なお、前記蓋による過剰水排出口の閉鎖は、前記蓋の自重で行われるようにすることもできるし、ばね等を用いて行われるようにすることもできる。
【００１５】
好適な実施の一形態として、前記雨水導入管において、前記過剰水排出口よりも汚水桝に近い位置に、前記汚水桝への雨水の流入量を制限する流量絞りを設ける態様を例示する（請求項４）。この場合、流量絞りによって汚水桝への流入を制限された雨水は、過剰水排出口から自動的に排出される。このようにすれば、汚水桝への雨水の流入量が予め制限されるので、汚水源への汚水の逆流が一層確実に防止できる。
【図面の簡単な説明】
【００１６】
【図１】本発明の実施の一形態に係る汚水桝の逆流防止装置を含む、汚水桝の配管系の説明図である。
【図２】図１の要部の拡大図である。
【図３】図２の変形例の説明図である。
【図４】従来例の汚水桝の配管系の説明図である。
【発明を実施するための形態】
【００１７】
以下、添付図面を参照して、本発明の実施の形態について説明する。
【００１８】
図１に示すように、住宅１に対応する汚水桝２が住宅敷地の地中に埋設され、この汚水桝（宅内汚水枡）２には、汚水導入管３と雨水導入管４とが連通する。汚水桝２は、それ自体公知のものであり、屎尿や生活雑排水等の住宅の汚水を受け入れて貯留し、その貯留水を、下水排水管５を通して下水道へと排出する。汚水桝自体の構成は本発明の要旨とは関係がないので説明を省略する。
【００１９】
図１では、汚水源６及び汚水導入管３の一例として、住宅のトイレ（便器）と、このトイレから汚水桝２へと延びる屎尿導入管を図示してある。図示してはいないが、他の汚水源６として、台所の流し、風呂場、洗濯場等が挙げられる。
【００２０】
雨水導入管４は、地上管７と埋設管８とからなる。地上管７は、住宅の雨樋であり、住宅１の軒に沿って配設される軒樋９と、この軒樋９から住宅の外部を地面まで延びる縦樋１０とで構成される。この縦樋１０は、地中に配設される埋設管８に接続され、この埋設管８が汚水桝２に接続される。図１の例では、一つの軒樋に対し、縦樋１０と埋設管８との組合せが二系統配設されているが、縦樋１０と埋設管８との組み合わせは少なくとも一系統あればよい。
【００２１】
縦樋１０の下部には、過剰水排出口１１が連通される。この過剰水排出口１１は、住宅１内の汚水源（図１の例ではトイレ）６よりも低い流路で住宅１の外部に開口する。過剰水排出口１１は、雨水導入管４を通して汚水桝２に流入する雨水の量が汚水桝２から下水道への排水量よりも多い場合に、汚水桝２内の汚水が逆流して住宅１内の汚水源６へと到達する前に、汚水源６との高低差によって、過剰な雨水を住宅１の外部へと自動的に排出するためのものである。
【００２２】
過剰水排出口１１は、地中で埋設管８に連通させることもできる。しかし、図１の例のように、地上で縦樋１０に連通させるようにすれば、既存設備に対して過剰水排出口１１を連通させる工事が容易に行えて好適である。
【００２３】
具体的には、図２に示すように、縦樋１０の下部が上下に二分割され、ここに、円筒形又は枡形等の適宜の形状の管継ぎ手１２が介装される。この管継ぎ手１２は三つのポートを持ち、上下二つのポート１２ａ，１２ｂには、上下に二分割された縦樋１０の、上側樋１３の下端１３ａと下側樋１４の上端１４ｂがそれぞれ接続される。管継ぎ手１２の横向きポート１２ｃには、分岐管となる過剰水排出管１５が接続され、この過剰水排出管１５の外端開口部が過剰水排出口１１となる。過剰水排出管１５は、全体が住宅１内の汚水源６よりも低い位置となるように配設される。図２の例では、過剰水排出管１５をＬ字状に形成し、管継ぎ手１２への接続状態において過剰水排出口１１が上向きとなるようにされている。しかし、これには限定されず、過剰水排出口１１は横向きでも下向きでもよい。
【００２４】
前記構成によれば、縦樋１０の下部に連通する過剰水排出口１１が、住宅１内の汚水源６よりも低い流路で住宅１の外部に開口するので、雨水導入管４を通じて汚水桝２に流入する雨水の量が汚水桝２から下水道への排水量よりも多い場合には、汚水桝２内が満杯となった後に、過剰な雨水が過剰水排出口１１から住宅１の外部へと自然に排出される。このため、汚水桝２内の汚水が逆流して住宅１内の汚水源６へと到達することが防止できる。
【００２５】
また、雨水導入管４に連通させて過剰水排出口１１を設けるだけでよいので、汚水源６への汚水の逆流を低コストで防止することができる。さらに、地上にある縦樋１０の下部に過剰水排出口１１を連通させるだけの工事で済むので、既存設備に対しても、大きな改変を加えることなく前記作用効果を付与できる。
【００２６】
なお、どのような雨量にでも対応できるようにするために、過剰水排出口１１の排水能力（単位時間当たりの排水量）は、縦樋１０の排水能力と同じにしておくことが好ましい。
【００２７】
図２の例では、過剰水排出口１１を自動的に開閉する蓋１６が備えられている。この蓋１６は、過剰水排出口１１を常時は閉じ、且つ、汚水桝２内の汚水がトイレ等の汚水源６へ到達する前に縦樋１０内の水圧によって過剰水排出口１１を自動的に開放する。このような蓋１６を設けることで、過剰水の排出が必要なとき以外は常時、過剰水排出口１１が閉じられるので、過剰水排出口１１から異物が入り込んでしまうことが防止できる。蓋１６を設けることは、過剰水排出口１１を上向きにした場合に特に有効となる。
【００２８】
なお、蓋１６は、自重のみによって過剰水排出口１１を閉じるものであってもよいし、自重プラスばね力で過剰水排出口１１を閉じるものであってもよい。
【００２９】
図３には、図２の変形例が示されている。すなわち、過剰水を排出するための流路の配設態様の別例である。この例でも、過剰水を排出するための流路の全体を住宅１内の汚水源６より低い位置に配設することはもちろんである。
【００３０】
図３の例では、上下に二分割された縦樋１０の、上側樋１３の下端１３ａと下側樋１４の上端１４ｂを包み込むように、上下方向に延びる筒状の連結ボックス１７が配設される。この連結ボックス１７は、下端に内向きフランジ１８を備え、上端が開放されている。下端の内向きフランジ１８は、下側樋１４の外周面に対して液密に連結される。上側樋１３と下側樋１４の間の隙間が連結ボックス１７の内部に連通しており、縦樋１０を流れる雨水が連結ボックス１７内にも流入できるようになっている。そして、連結ボックス１７の内周面と上側樋１３の下部の外周面とで画成される空間１９が過剰水の流路となり、連結ボックス１７の上端開口部が過剰水排出口２０となる。
【００３１】
縦樋１０を通じて汚水桝２に流入する雨水の量が汚水桝２から下水道への排水量よりも多い場合には、汚水桝２が満杯となった後に、過剰な雨水によって連結ボックス１７内の水位が上がり、過剰水排出口２０から雨水がオーバーフローし、住宅の外部へと排出される。このため、汚水桝２内の汚水が逆流して住宅１内の汚水源６へと到達することが防止できる。
【００３２】
図３の例でも、過剰水排出口２０を自動的に開閉する蓋２１が設けられる。この蓋２１は、過剰水排出口２０を常時は閉じ、且つ、汚水桝２からトイレ等へ汚水が到達する前に、連結ボックス１７内の水圧によって過剰水排出口２０を自動的に開放する。
【００３３】
蓋２１は、常時は蓋受け２２によって支持される。この蓋受け２２は、網状等の通水可能なものであり、連結ボックス１７の内周面と上側樋１３の外周面との間に配設されて、連結ボックス１７の内部の上部に位置する。蓋２１の中央部には、上側樋１３を受け入れる孔２３が形成される。この孔２３で案内されて蓋２１が上側樋１３に沿って上下動し、連結ボックス１７内の水圧に応じて過剰水排出口２０が自動的に開閉される。
【００３４】
図３の例では、汚水桝２への雨水の流入量を制限する流量絞り２４が設けられる。この流量絞り２４は、雨水導入管４の管路において、過剰水排出口２０よりも汚水桝２に近い位置に配設される。具体的には、一例として、下側樋１４の上部の内部に流量絞り２４が配設される。この流量絞り２４は、下側樋１４の流路面積を狭めることで、汚水桝２への雨水の流入量を制限する。流量絞り２４によって汚水桝２への流入を制限される雨水は、連結ボックス１７内を上昇して蓋受け２２上の蓋２１を押し上げ、過剰水排出口２０から外部へ流出する。流量絞り２４を設けることで、汚水桝２への雨水の流入量が予め制限されるので、汚水桝２から汚水源６への汚水の逆流が一層確実に防止できる。
【００３５】
流量絞り２４は、地上にある縦樋１０内に設けることとすれば、既存設備への追加工事を簡便に行うことができて好適である。
【００３６】
なお、図示してはいないが、流量絞り２４は、図２の例にも適用できることは勿論である。
【符号の説明】
【００３７】
１    住宅
２    汚水桝
４    雨水導入管
６    汚水源（トイレ等）
１１，２０  過剰水排出口
１６，２１  蓋
２４  流量絞り
【図１】
2016079661.tif 000003
【図２】
2016079661.tif 000004
【図３】
2016079661.tif 000005
【図４】
2016079661.tif 000006